(57)【要約】【課題】  小型化を容易にし、表示パネルの使用・不使用に関わらず使用できる操作環境を実現する。【解決手段】  表示パネル（１２）は、ヒンジ機構（１４）により本体（１０）の側面に取り付けられている。表示パネル（１２）は、前面に表示部（２６）の表示画面を具備する。表示パネル（１２）は、ヒンジ機構（１４）の開閉軸（１４ａ）を中心に開閉可能で、回転軸（１４ｂ）を中心に回転可能である。操作パネル（１６）が、表示パネル（１２）の背面側の下端において、開閉軸を中心に回転可能に取り付けられている。操作パネル（１６）を回転することで、その操作面を表示パネル（１２）の表示面に向く位置、又は、表示パネル（１２）の背面に向く位置に変更できる。【選択図】  図２
2009271218.tif 000002
【特許請求の範囲】
【請求項１】
ヒンジ機構により本体に対して開閉可能な表示パネルであって、前面に表示部を有する表示パネルと、
前記表示パネルの端部の背面に取り付けられ、操作面を前記表示パネルの前記背面の側に向けた位置と、前記前面の側に向けた位置との間で回転可能な操作パネル
とを有することを特徴とする画像表示装置。
【請求項２】
更に、前記操作面を前記前面の側に向けた位置に係止する手段を具備することを特徴とする請求項１に記載の画像表示装置。
【請求項３】
前記表示パネルが、前記背面に前記操作パネルを収容する凹みを有することを特徴とする請求項１に記載の画像表示装置。
【発明の詳細な説明】
【技術分野】
【０００１】
本発明は、本体に対して開閉可能に取り付けられる表示パネルを有する画像表示装置に関する。
【背景技術】
【０００２】
このような画像表示装置には、小型ビデオカメラがある。小型ビデオカメラは、撮影中の画像と再生画像を表示可能な画像表示パネルをカメラ本体の筐体の側面に開閉可能及び回転可能に取り付けられている。
【０００３】
画像の再生動作や所望のプログラム検索のために操作ボタンが必要になり、本体の上面とか、画像表示パネルを開いて露出する、本体の側面とかに配置される。
【０００４】
近年、装置の小型化により、操作ボタンの配置、数及び機能に工夫を凝らす必要性が出てきた。たとえば、ビデオカメラでは、筐体の側面に配置できる操作ボタン数に限りがあることから、動作モードに応じて役割の異なる多機能ボタンの利用が提案されている（例えば、特許文献１参照）。
【０００５】
また、更にビデオカメラの小型化を図るために、画像表示パネルの表示画面の周囲に操作ボタン類を配置する構成も提案されている（例えば、特許文献２参照）。
【特許文献１】特開２００３-４６８３４号公報
【特許文献２】特開平５-３３６４１５号公報（第４頁、図５）
【発明の開示】
【発明が解決しようとする課題】
【０００６】
特許文献１に記載の構成では、ビデオカメラの小型化によって筐体が小さくなったときに、操作ボタン類の配置スペースの確保が難しくなる。換言すること、小型化に対応できない。
【０００７】
特許文献２に記載の構成では、操作ボタン類が画像表示パネルの画像表示面と同じ側に配置されているので、ファインダを覗きながら撮影するときや、テレビ出力をするときなど、画像表示パネルを閉じた時に操作ができなくなる。
【０００８】
本発明は、このような不都合を解消し、画像表示パネルを閉じた状態でも操作でき、小型化が容易な画像表示装置を提示することを目的とする。
【課題を解決するための手段】
【０００９】
上記目的を達成するため、本発明に係る画像表示装置は、ヒンジ機構により本体に対して開閉可能な表示パネルであって、前面に表示部を有する表示パネルと、前記表示パネルの端部の背面に取り付けられ、操作面を前記表示パネルの前記背面の側に向けた位置と、前記前面の側に向けた位置との間で回転可能な操作パネルとを有することを特徴とする。
【発明の効果】
【００１０】
本発明によれば、表示パネルの開閉状態に関係なく操作パネルを使用できる。本体又は表示パネルの表示部の周囲に操作部を配置しないので、小型化に対応しやすくなる。
【発明を実施するための最良の形態】
【００１１】
以下、図面を参照して、本発明の実施例を詳細に説明する。
【実施例１】
【００１２】
図１は、本発明に係る画像表示装置の一実施例であるビデオカメラをほぼ横から見た外観図を示す。図２は、本実施例の表示パネルを開いた状態の外観図を示す。図３は、表示パネルの表示面を外側にして、表示パネルを本体に密着した状態の外観図を示す。
【００１３】
本実施例のビデオカメラは、ヒンジ機構１４により、本体１０の側面に表示パネル１２を開閉及び回転可能に取り付けてある。表示パネル１２は、前面に表示部２６の表示画面を具備する。表示パネル１２は、ヒンジ機構１４の開閉軸１４ａを中心に回転することで、本体１０に対して開閉可能である。これにより、表示パネル１２は、表示面を本体１０側に向けて、本体１０に密着させた位置（通常収納位置）と、表示面を外側に向けて、本体１０に密着させた位置（反転収納位置）を取ることができる。図３は、反転収納状態での外観図を示す。
【００１４】
表示パネル１２はまた、ヒンジ機構１４の回転軸１４ｂを中心に回転可能である。これにより、表示パネル１２を本体１０から開いた状態で、表示パネル１２は、図２に示すように表示面を背後方向に向けた位置と、被写体側に向けた位置とを取ることができる。
【００１５】
操作パネル１６が、表示パネル１２の背面の下端において、軸（開閉軸）１６ａ（図１）を中心に回転可能に取り付けられており、その操作パネル面は、図１に示す向き又は図２に示す向きに係止されうる。即ち、操作パネル１６は、その操作パネル面が図１に示す向きと図２に示す向きとの間で回転可能である。図１では、操作パネル１６の操作面が、表示パネル１２の表示画面と同じ側に向いている。図２では、操作パネル１６の操作面が表示画面とは反対側（表示パネル１２の背面側）に向いている。図１に示す位置が、通常位置又は初期位置になる。操作パネル１６には、例えば、記録再生を指示する操作ボタン類が配置される。
【００１６】
本体１０の正面に撮影レンズ２０が配置される。本体１０の背面に動作モードを設定するモードダイヤル２２と、録画の開始／停止を指示する録画キー２４が配置される。
【００１７】
モードダイヤル２２は、電源のオン／オフ、録画モード及び再生モードのいずれかを設定するのに使用される。不使用時には、電源オフの位置にモードダイヤル２２を回す。この電源オフの状態では、最も低消費電力の状態になる。電源オフの位置から電源オンの位置にモードダイヤル２２を回転させると、本体１０の各部に電源が投入される。撮像系が動作し、録画モードのスタンバイ状態になる。モードダイヤル２２を更に回転させると、再生モードになり、記録画像が表示パネル１２の表示画面にサムネイルとして表示される。
【００１８】
録画キー２４は、モードダイヤル２２により録画モードになっている状態で、録画の開始と停止を指示するのに使用される。録画スタンバイ状態で使用者が録画キー２４を操作すると、撮像部による撮影画像が図示しない記録媒体に記録される。録画中に、使用者が録画キー２４を操作すると、録画が停止されて、録画スタンバイ状態に戻る。このように、録画モードでは、録画キー２４は、録画スタート／ストップキーとして機能する。
【００１９】
モードダイヤル２２で再生モードが設定されているとき、操作パネル１６上に並列に配設された複数の操作ボタン１８が、それぞれ、再生／一時停止ボタン、早送りボタン、巻戻しボタン、停止ボタン及び機能操作ボタンとして機能する。
【００２０】
本実施例では、表示パネル１２が通常収納位置にあるときでも（図１）、反転収納位置にあるときでも（図３）、撮影者は操作パネル１６にアクセス可能である。即ち、どちらの位置にあるときでも、図１及び図３にそれぞれ示すように、撮影者は、操作パネル１６を操作、即ち、使用することができる。
【００２１】
また、表示パネル１２を開いた状態では、図２に示すように、操作パネル１６を表示パネル１２に対して回転して、その操作面を表示パネル１２の表示面と同じ側に係止することができる。この位置では、撮影者は、操作パネル１６の操作面を表示パネル１２の表示画像と同じ視野内に捉えることができる。即ち、表示パネル１２に表示される画像等を観察しながら、操作パネル１６を操作することが可能になる。撮影者は、図２に示すように、左手の手の平又は人差し指と親指とで操作パネル１６をつまむようにして親指で操作ボタン１８を操作する。操作パネル１６を表示パネル１２に対して図２に示す位置に係止する係止機構を設けてあるので、ボタン操作によって操作パネル１６が移動することが無く、従来と遜色ない操作が可能である。
【００２２】
本体１０には、撮影画像（動画または静止画）を記録する記録媒体が装着されている。記録媒体は、半導体メモリカード、ハードディスク又は光ディスク等からなる。記録媒体は着脱可能なものと、取り外し不能なものがありうる。
【００２３】
図４及び図５を参照して、表示パネル１２の構成を説明する。図４は、表示パネル１２を図１のＡ方向から見たときの断面図を示す。図５は、表示パネル１２を図１のＢ方向から見たときの断面図を示す。
【００２４】
表示パネル１２は主に、外装カバー３０ａ，３０ｂ内に、表示部２６と、バックライト３２と、基板３４とを収容した構成からなる。バックライト３２は、表示部２６を照明する。バックライト３２は表示部２６と共にフレーム３６に固定され、基板３４はフレーム３６にねじで固定されている。基板３４は、筐体１０の記録再生機構と不図示のフレキシブル回路基板で電気的に接続する。基板３４は更に、表示部２６とも電気的に接続する。表示パネル１２の背面下側を凹ませ、その凹みに、開閉軸１６ａを中心に回転可能に操作パネル１６を取り付けてある。
【００２５】
操作パネル１６は、先に説明したように、開閉軸１６ａを中心に回転可能であるが、１８０度、回転した位置に係止されるようになっている。図６を参照して、操作パネル１６の回転を可能にし、所定位置に係止する操作パネルヒンジ機構を説明する。
【００２６】
図６は、操作パネルヒンジ機構を図１のC方向から見た斜視図を示す。説明の都合上、フレキシブル回路基板には斜線を付してある。操作パネル１６内には、不図示の操作ボタン用のフレキシブル回路基板が配置され、表示パネル１２側の基板とは帯状のフレキシブル回路基板４０により電気的に接続する。フレキシブル回路基板４０は可撓性を有しており、プリント回路及びフレキシブル配線が一体に形成されている。フレキシブル回路基板４０は、操作ボタン用のフレキシブル回路基板と端子によって接続する。フレキシブル回路基板４０は、操作パネル１６の回転シャフト４２の外周を覆うようにしてゆったりと巻きつけられ、Ｌ字型プレート４４の側面を通り、表示パネル１２内の基板３４に接続する。Ｌ字型プレート４４の一端が、表示パネル１２用のフレーム３６にねじで固定されている。
【００２７】
ユーザが操作ボタン１８を押すと、操作パネル１６内のフレキシブル回路基板（図示せず）の押圧スイッチが作動する。なお、この種の操作ボタンは、押圧スイッチに限定されるものではなく、ジョグダイアルやスライドスイッチなどでもよい。
【００２８】
図７は、操作パネルヒンジ機構の分解斜視図を示す。図８は、図７のＤ方向から見た操作パネルの分解斜視図を示す。図９は、図７のＥ方向から見た操作パネルの正面図を示す。なお、図７、図８及び図９は、表示パネル１２が通常収納位置（図１）にあるときの状態を示す。図１０は、操作パネル１６を１８０度回転した位置での、図７のＤ方向から見た操作パネルヒンジ機構の分解斜視図を示す。図１１は、操作パネル１６を１８０度回転した位置での、図７のＥ方向から見た操作パネルヒンジ機構の正面図を示す。図１２は、表示パネル１２が図２又は図３に示す位置にあるときの、図７のＤ方向から見た操作パネルヒンジ機構の分解斜視図を示す。図１３は、表示パネル１２が図２又は図３に示す位置にあるときの、図７のＥ方向から見た操作パネルヒンジ機構の正面図を示す。図７乃至図１３では、理解を容易にするために、説明上、必要な部材のみを図示してある。
【００２９】
円板状の回転ストッパ４６は、半径方向に突出した部分を回転制御部４６ａとして具備し、側面には凹部４６ｂを具備する。操作パネル１６を、開閉軸１６ａを中心として開き始めると、回転ストッパ４６の凹部４６ｂから板ばね４８の凸部４８ａが外れる。すると、回転ストッパ４６が板ばね４８を押しながら回転を始める。回転ストッパ４６は、回転シャフト４２の先端にかしめられており、回転シャフト４２の回転と共に回転する。操作パネル１６が回転を始めると、図８及び図１０に示すように、回転ストッパ４６の凹部４６ｂと板ばね４８の凸部４８ａの噛み合せが外れる。
【００３０】
操作パネル１６が略１８０度回転すると、図８及び図１２に示すように、回転ストッパ４６の凹部４６ｂと板ばね４８の凸部４８ａが再び嵌合し、これによって回転が規制される。図１３に示すように、回転ストッパ４６の回転制御部４６ａが回転制御プレート５０の突き当て部５０ａに当たり、これ以上の回転ができないよう制御する。
【００３１】
図１４は、表示パネル１２と操作パネル１６の結合部分の拡大図を示す。操作パネル１６を収納する収納部５２を表示パネル１２の背面に設けてある。操作パネル１６は、通常時には、収納部５２に収納されている。操作パネル１６は、操作ボタン１８を表示パネル１２の背面方向から操作できる収容位置（図１）と、収容位置から引き出され、操作ボタン１８を表示パネル１２の表示画面側から操作できる反転位置（図２及び図３）の２つの位置をとることができる。操作パネル１６の操作面側には、軸１６ａを軸中心として操作パネル１６を回転させるための指掛け部５４を形成してある。
【００３２】
操作パネル１６は、１８０度回転した反転位置では、それ以上の回転を規制されている。勿論、操作パネル１６を表示パネル１２の背面に収納した位置でも、それ以上の回転を規制されている。これにより、図１、図２及び図３に示すように、操作パネル１６の裏側を表示パネル１２又は手の平や指が支えているので、操作ボタン１８を安定して操作することが可能である。
【００３３】
以上の説明から容易に理解できるように、本実施例では、本体に対して開閉及び回転可能な表示パネルに対し回転可能に操作パネルを取り付け、表示パネルの背面側と表示画面側のいずれからも操作可能にしている。これにより、表示パネルの開閉状態に関係なく、操作パネルを操作することが可能になる。例えば、表示パネルで画像を表示しない時でも、操作が行える。
【００３４】
更に、操作パネルを表示パネルの背面に組み込むので、ビデオカメラを小型化しやすい。表示パネルの表示部の周囲に操作ボタン類を配置する場合に比べ、表示パネルが小型になる。
【実施例２】
【００３５】
図１５、図１６及び図１７は、本発明の実施例２の斜視図を示す。図１５は、表示パネルを本体に収容した状態の斜視図を示す。図１６は、表示パネルを開いた状態で、操作パネルを表示パネルの表示画面側から操作するときの斜視図を示す。図１７は、表示パネルを反転収納した状態で、表示パネルの背面側から操作パネルを操作するときの斜視図を示す。実施例１と同様の構成要素には同じ符号を付してある。
【００３６】
本実施例では、操作パネル１１６を、表示パネル１２の、ヒンジ機構１４とは反対側の端部の背面に回転可能に配置されている。操作パネル１１６の操作面側に操作ボタン１１８が配置されている。操作パネル１１６は、表示パネル１２に対し、軸１１６ａを中心に１８０度回転可能である。
【００３７】
表示パネル１２に対する操作パネル１１６の取り付け位置が異なることのを除いては、操作パネル１６と同じであり、操作パネル１６と同様の作用効果を得ることができる。
【００３８】
実施例２では、操作パネル１１６が表示パネル１２のヒンジ機構１４とは反対側に取り付けられ、操作パネル１１６の開閉軸１１６ａが表示パネル１２の開閉軸１４ａと平行になっている。これにより、ビデオカメラを床に置いた場合でも、操作パネル１１６を開閉でき、操作性が向上する。
【００３９】
ビデオカメラに適用した実施例を説明したが、本発明は、本体に対して開閉可能な表示パネルを有する装置、例えば、携帯電話、デジタルカメラ又はＰＤＡ（Personal Digital Assistant）に適用可能である。
【図面の簡単な説明】
【００４０】
【図１】本発明の実施例１の表示パネルを収納した状態の斜視図である。
【図２】実施例１の表示パネルを開いた状態の斜視図である。
【図３】実施例１の表示パネルを反転収納した状態の斜視図である。
【図４】実施例１の表示パネルを図１のＡ方向から見たときの、表示パネルの断面図である。
【図５】実施例１の表示パネルを図１のＢ方向から見たときの、表示パネルの別の断面図である。
【図６】操作パネルヒンジ機構を図１のC方向から見た斜視図を示す。
【図７】操作パネルヒンジ機構の分解斜視図を示す。
【図８】図７のＤ方向から見た操作パネルの分解斜視図を示す。
【図９】図７のＥ方向から見た操作パネルの正面図を示す。
【図１０】操作パネルを１８０度回転した位置での、図７のＤ方向から見た操作パネルヒンジ機構の分解斜視図を示す。
【図１１】操作パネルを１８０度回転した位置での、図７のＥ方向から見た操作パネルヒンジ機構の正面図を示す。
【図１２】表示パネルが図２又は図３に示す位置にあるときの、図７のＤ方向から見た操作パネルヒンジ機構の分解斜視図を示す。
【図１３】表示パネルが図２又は図３に示す位置にあるときの、図７のＥ方向から見た操作パネルヒンジ機構の正面図を示す。
【図１４】表示パネルと操作パネルの結合部分の拡大図を示す。
【図１５】実施例２の、表示パネルを本体に収容した状態の斜視図を示す。
【図１６】実施例２の、表示パネルを開いた状態で、操作パネルを表示パネルの表示画面側から操作するときの斜視図を示す。
【図１７】実施例２の、表示パネルを反転収納した状態で、表示パネルの背面側から操作パネルを操作するときの斜視図を示す。
【符号の説明】
【００４１】
１０：本体
１２：表示パネル
１４：ヒンジ機構
１４ａ：開閉軸
１４ｂ：回転軸
１６：操作パネル
１６ａ：回転軸
１８：操作ボタン
２０：撮影レンズ
２２：モードダイヤル
２４：録画キー
２６：表示部
３０ａ，３０ｂ：外装カバー
３２：バックライト
３４：基板
３６：フレーム
４０：フレキシブル回路基板
４２：回転シャフト
４４：Ｌ字型プレート
４６：回転ストッパ
４６ａ：回転制御部
４６ｂ：凹部
４８：板ばね
４８ａ：凸部
５０：回転制御プレート
５０ａ：突き当て部
５２：収納部
５４：指掛け部
１１６：操作パネル
１１６ａ：開閉軸
１１８：操作ボタン
【図１】
2009271218.tif 000003
【図２】
2009271218.tif 000004
【図３】
2009271218.tif 000005
【図４】
2009271218.tif 000006
【図５】
2009271218.tif 000007
【図６】
2009271218.tif 000008
【図７】
2009271218.tif 000009
【図８】
2009271218.tif 000010
【図９】
2009271218.tif 000011
【図１０】
2009271218.tif 000012
【図１１】
2009271218.tif 000013
【図１２】
2009271218.tif 000014
【図１３】
2009271218.tif 000015
【図１４】
2009271218.tif 000016
【図１５】
2009271218.tif 000017
【図１６】
2009271218.tif 000018
【図１７】
2009271218.tif 000019